(57)【特許請求の範囲】
【請求項１】
情報を推奨する方法であって、
Ｓ１：コンピュータが、ユーザが関心のある情報を取得するステップと、
Ｓ２：前記コンピュータが、前記情報を検索エンジンに送信し、それにより、前記検索エンジンが前記情報を監視し、前記情報が変更されたことを検知したとき、前記情報についての更新情報を返すようになすステップと、
Ｓ３：前記コンピュータが、前記更新情報を受信して表示し、想起情報を、現在のアカウントに関連付けられたモバイル端末又はアプリケーションプログラムに送信し、及び
前記ユーザの現在のアカウントのログインページに表示して、前記更新情報をチェックすることを前記ユーザに想起させるステップと、
を含むことを特徴とする、方法。
【請求項２】
前記Ｓ１が、
現在のアカウント下の前記ユーザの過去の検索挙動を取得し、前記過去の検索挙動に従って前記ユーザが関心のある前記情報を特定すること、又は
前記現在のアカウント下の前記ユーザによって入力されるカスタマイズ情報を受信し、前記カスタマイズ情報に従って前記ユーザが関心のある前記情報を特定すること
を含むことを特徴とする、請求項１に記載の方法。
【請求項３】
前記更新情報を受信し表示する間、前記方法が、
前記検索エンジンによって返される拡張情報を受信して表示することを更に含み、前記拡張情報が、前記更新情報の検索見出し及び／又は前記情報に関連する推奨情報を含むことを特徴とする、請求項１に記載の方法。
【請求項４】
切り替えキーを表示するステップと、
前記切り替えキーでの前記ユーザのトリガ操作を取得し、前記更新情報及び／又は前記情報に関連する前記推奨情報を、前記トリガ操作に基づいて切り替えて表示するステップと、
を更に含むことを特徴とする、請求項３に記載の方法。
【請求項５】
情報を推奨する装置であって、
ユーザが関心のある情報を取得する取得モジュールと、
前記情報を検索エンジンに送信する送信モジュールであって、それにより、前記検索エンジンが前記情報を監視し、前記情報が変更されたことを検知したとき、前記情報についての更新情報を返すようになす、送信モジュールと、
前記更新情報を受信して表示し、想起情報を、現在のアカウントに関連付けられたモバイル端末又はアプリケーションプログラムに送信し、及び
前記ユーザの現在のアカウントのログインページに表示して、前記更新情報をチェックすることを前記ユーザに想起させる表示モジュールと、
を備えることを特徴とする、装置。
【請求項６】
前記取得モジュールが特に、
現在のアカウント下の前記ユーザの過去の検索挙動を取得し、前記過去の検索挙動に従って前記ユーザが関心のある前記情報を特定すること、又は
前記現在のアカウント下の前記ユーザによって入力されるカスタマイズ情報を受信し、前記カスタマイズ情報に従って前記ユーザが関心のある前記情報を特定すること
に使用されることを特徴とする、請求項５に記載の装置。
【請求項７】
前記表示モジュールが更に、
前記更新情報を受信し表示する間、前記検索エンジンによって返される拡張情報を受信して表示するのに使用され、前記拡張情報が、前記更新情報の検索見出し及び／又は前記情報に関連する推奨情報を含むことを特徴とする、請求項５に記載の装置。
【請求項８】
前記表示モジュールが更に、
切り替えキーを表示すること、及び
前記切り替えキーでの前記ユーザのトリガ操作を取得し、前記更新情報及び／又は前記情報に関連する前記推奨情報を、前記トリガ操作に基づいて切り替えて表示すること
に使用されることを特徴とする、請求項７に記載の装置。
【発明の詳細な説明】
【技術分野】
【０００１】
本発明は、コンピュータネットワークの技術分野に関し、特に、情報を推奨する方法及び装置に関する。
【背景技術】
【０００２】
インターネット技術の絶え間ない開発に伴い、検索エンジンは人々の生活になくてはならないものになり、人々は検索エンジンを使用して、様々なタイプの情報及びリソースを調べて取得することができる。現在、検索エンジンのホームページで、情報、例えば、最新のニュース及び人気のあるアクティビティが一般にユーザに推奨され、それにより、ユーザの検索意図をガイドする。
【０００３】
しかし、本発明の具現化中、本発明者は、少なくとも以下の問題が従来技術に存在することを見出した：ユーザに推奨される全ての情報が、統一された情報であり、個人化された情報推奨がなく、推奨される情報によっては、ユーザが望むものではないことがあり、繰り返しの推奨がユーザを飽きさせ、ユーザの個人的な要求を満たすことができず、結果としてユーザにとっての検索エクスペリエンスが不良になる。
【発明の概要】
【発明が解決しようとする課題】
【０００４】
本発明は、関連分野での技術的問題の１つを少なくともある程度解決することを目的とする。このために、本発明の第１の目的は、情報を推奨する方法を提案することである。本方法は、ユーザが、関心のある情報を素早く正確に取得できるようにし、情報取得の効率を改善し、ユーザの個人的な要求により合わせられ、判断についてユーザをよりよくガイドし、したがって、ユーザの検索エクスペリエンスを改善する。
【０００５】
本発明の第２の目的は、情報を推奨する装置を提案することである。
【課題を解決するための手段】
【０００６】
上記目的を達成するために、本発明の第１の態様の実施形態により、情報を推奨する方法が提案され、本方法は、Ｓ１：ユーザが関心のある情報を取得するステップと、Ｓ２：情報を検索エンジンに送信し、それにより、検索エンジンが情報を監視し、情報が変更されたこと検知したとき、情報についての更新情報を返すようになすステップと、Ｓ３：更新情報を受信して表示し、想起情報を、現在のアカウントに関連付けられたモバイル端末又はアプリケーションプログラムに送信し、及びユーザの現在のアカウントのログインページに表示して、更新情報をチェックすることをユーザに想起させるステップとを含む。
【０００７】
ユーザが関心のある情報を取得するとともに、検索エンジンにより、情報の変更が検知されたときに更新情報を取得し、想起情報を、現在のアカウントに関連付けられたモバイル端末又はアプリケーションプログラムに送信し、及びユーザの現在のアカウントのログインページに表示して、更新情報をチェックすることをユーザに想起させることにより、本発明の実施形態の情報を推奨する方法は、ユーザが、関心のある情報を素早く正確に取得できるようにし、情報取得の効率を改善し、ユーザの個人的な要求により合わせられ、判断についてユーザをよりよくガイドし、したがって、ユーザの検索エクスペリエンスを改善する。
【０００８】
上記目的を達成するために、本発明の第２の態様の実施形態により、情報を推奨する装置が提案され、本装置は、ユーザが関心のある情報を取得する取得モジュールと、情報を検索エンジンに送信する送信モジュールであって、それにより、検索エンジンが情報を監視し、情報が変更されたことを検知したとき、情報についての更新情報を返すようになす、送信モジュールと、更新情報を受信して表示し、想起情報を、現在のアカウントに関連付けられたモバイル端末又はアプリケーションプログラムに送信し、及びユーザの現在のアカウントのログインページに表示して、更新情報をチェックすることをユーザに想起させる表示モジュールとを備える。
【０００９】
ユーザが関心のある情報を取得するとともに、検索エンジンにより、情報の変更が検知されたときに更新情報を取得し、想起情報を、現在のアカウントに関連付けられたモバイル端末又はアプリケーションプログラムに送信し、及びユーザの現在のアカウントのログインページに表示して、更新情報をチェックすることをユーザに想起させることにより、本発明の実施形態の情報を推奨する装置は、ユーザが、関心のある情報を素早く正確に取得できるようにし、情報取得の効率を改善し、ユーザの個人的な要求により合わせられ、判断についてユーザをよりよくガイドし、したがって、ユーザの検索エクスペリエンスを改善する。
【００１０】
本発明の追加の態様及び利点は、部分的に以下の説明で提供され、部分的に以下の説明から明らかになるか、又は本発明を実施することによって理解されるだろう。
【図面の簡単な説明】
【００１１】
【図１】本発明の一実施形態による情報を推奨する方法のフローチャート
【図２】本発明の特定の実施形態による情報を推奨する方法のフローチャート
【図３】本発明の特定の実施形態による、ユーザが関心のある情報と、それに関連する情報とを表示する効果を示す概略図Ｉ
【図４】本発明の特定の実施形態による、ユーザが関心のある情報と、それに関連する情報とを表示する効果を示す概略図ＩＩ
【図５】本発明の特定の実施形態による、ユーザが関心のある情報と、それに関連する情報とを表示する効果を示す概略図ＩＩＩ
【図６】本発明の特定の実施形態による、ユーザが関心のある情報と、それに関連する情報とを表示する効果を示す概略図ＩＶ
【図７】本発明の特定の実施形態による、ユーザが関心のある情報と、それに関連する情報とを表示する効果を示す概略図Ｖ
【図８】本発明の一実施形態による情報を推奨する装置の構造概略図
【発明を実施するための形態】
【００１２】
本発明の実施形態について以下に詳細に説明し、実施形態の例を添付図面に示し、図面中、全体を通して、同じ又は同様の参照符号は同じ若しくは同様のユニット若しくはモジュール、又は同じ若しくは同様の機能を有するユニット若しくはモジュールを表す。添付図面を参照して以下に説明される実施形態は、例示であり、本発明への限定として理解されるのではなく、むしろ、本発明の説明を目的とする。
【００１３】
本発明の実施形態の情報を推奨する方法及び装置について、添付図面を参照して以下に説明する。
【００１４】
図１は、本発明の一実施形態による情報を推奨する方法のフローチャートであり、この実施形態では、クライアント側から説明が行われる。
【００１５】
図１に示されるように、情報を推奨する方法は以下を含む。
Ｓ１：ユーザが関心のある情報が取得される。
【００１６】
特に、クライアントは、現在のアカウント下のユーザの過去の検索挙動を取得し、次に、過去の検索挙動に従ってユーザが関心のある情報を特定することができる。ユーザの個人的な要求により合わせられた情報をユーザに推奨するために、検索エンジンはそれぞれ、各アカウントに対応する過去の検索挙動をクライアントに記録することができる。例えば、ユーザＡがかつて、テレビドラマ「産科医生」を検索したことがある場合、テレビドラマ「産科医生」を、ユーザＡが関心のある情報としてみなすことができ、ユーザＢがかつて、テレビドラマ「古剣奇譚」を検索したことがある場合、テレビドラマ「古剣奇譚」を、ユーザＢが関心のある情報としてみなすことができる。
【００１７】
クライアントはまた、現在のアカウント下でユーザによって入力されるカスタマイズ情報を受信することもでき、カスタマイズ情報に従ってユーザが関心のある情報を特定することができる。例えば、ユーザＡは、個人センターを通してカスタマイズ情報「小時代」を入力することができ、それにより、ユーザＡの関心のある情報が「小時代」であると特定することができる。
【００１８】
ユーザが関心のある情報は、オーディオ及びビデオ等のリソース情報、株式等の金融及び経済情報、天気予報等の生活サービス情報、及び様々な他のタイプの情報を含むことができる。
【００１９】
Ｓ２：情報が検索エンジンに送信され、それにより、検索エンジンは情報を監視し、情報が変更されたことを検知したとき、情報についての更新情報を返す。
【００２０】
ユーザが関心のある情報が取得された後、クライアントはその情報を検索エンジンに送信することができる。検索エンジンは、情報を受信した後、情報を監視することができる。情報の変更が検知されると、その情報についての更新情報をクライアントに返すことができる。例えば、ユーザＡが関心のある情報が小説「大主宰」である場合、小説「大主宰」の更新が検知されると、小説「大主宰」についての更新情報をクライアントに返すことができる。
【００２１】
Ｓ３：更新情報が受信されて表示され、想起情報がユーザに送信されて、更新情報をチェックすることをユーザに想起させる。
【００２２】
検索エンジンが更新情報をクライアントに返した後、クライアントは更新情報を受信して表示し、想起情報をユーザに送信して、更新情報をチェックすることをユーザに想起させることができる。特に、想起情報は、現在のアカウントに関連付けられたモバイル端末又はアプリケーションプログラムに送信することができ、想起情報はまた、ユーザの現在のアカウントのログインページに表示することもできる。例えば、ユーザＡが関心のある小説「大主宰」が更新される場合、想起ショートメッセージ「小説「大主宰」が更新されました！」が、ユーザＡが小説を読む携帯電話又はアプリ（アプリケーションプログラム）に送信され、想起情報「小説「大主宰」が更新されました！」は、ユーザＡが検索エンジンページを開き、ログインする際に表示することもできる。ユーザに想起させる方法が上記方法に限定されないことを理解されたい。モバイル端末は、携帯電話に限定されず、インテリジェントウェアラブル装置、タブレットコンピュータ等であることもできる。
【００２３】
さらに、更新情報を受信し表示する間、クライアントは、検索エンジンによって返された拡張情報を受信し表示することもできる。拡張情報は、更新情報の検索入力、情報に関連する推奨情報等を含むことができる。例えば、ユーザＢが関心のあるテレビドラマ「古剣奇譚」が第２０回のエピソードに更新される場合、クライアントは、テレビドラマ「古剣奇譚」の第２０回のエピソードのリンクアドレスと、Ｍｉ  Ｙａｎｇがまた主演する関連する推奨情報「小時間３」とを表示することもできる。
【００２４】
さらに、拡張情報を表示する際、クライアントは切り替えキーを表示し、次に、切り替えキーでのユーザのトリガ操作を取得し、情報に関連する推奨情報をトリガ操作に基づいて切り替えて表示することもできる。例えば、ユーザＡが関心のある情報は、特定の車、株式等の情報も含み、その場合、価格変更情報及び品質問題情報等の車に関連する推奨情報並びに株式についての市場情報を、切り替えキーでのユーザのトリガ操作を介して表示することができる。
【００２５】
上記想起情報及び関連する推奨情報が、真に価値のある情報をユーザに想起させ推奨可能なことを理解されたい。病的状態質問サービスを例とすると、本発明の実施形態の技術的解決策により、ユーザが病的状態である場合のみ、想起情報をユーザに送信することを実現することができる。ユーザが病的状態ではない場合、想起情報はユーザに送信されない。このようにして、ユーザは、自分が病的挙動を有するか否かをチェックするために、病的状態質問のウェブサイトにログインする必要がなく、したがって、ユーザに利便性を提供する。
【００２６】
ユーザが関心のある情報を取得するとともに、情報の変更が検索エンジンによって検知されたときに更新情報を取得し、想起情報をユーザに送信して、更新情報をチェックすることをユーザに想起させることにより、本発明の実施形態の情報を推奨する方法は、ユーザが、関心のある情報を素早く正確に取得できるようにし、情報取得の効率を改善し、ユーザの個人的な要求により合わせられ、判断についてユーザをよりよくガイドし、したがって、ユーザの検索エクスペリエンスを改善する。
【００２７】
図２は、本発明の特定の実施形態による情報を推奨する方法のフローチャートである。
【００２８】
図２に示されるように、情報を推奨する方法は以下を含む。
Ｓ２０１：ユーザが関心のある情報が取得される。
【００２９】
特に、ユーザが関心のある情報は、ユーザの過去の検索挙動に従って特定することができ、ユーザは、個人センターで関心のある情報を設定することもできる。例えば、「古剣奇譚」及び「産科医生」は、ユーザが以前に検索したことがある情報であることができ、個人センターを通してユーザによって設定することもできる。
【００３０】
Ｓ２０２：ユーザが関心のある情報が更新されると、対応する更新情報及び拡張情報が表示される。
【００３１】
特に、図３に示されるように、ユーザが検索エンジンページを開き、ログインすると、ユーザが関心のある情報に対応する更新情報を表示することができ、例えば、「古剣奇譚」は第２０回のエピソードに更新され、「産科医生」は第３４回のエピソードに更新され、両方の更新時刻は昨日である、という情報を表示することができる。他のビデオウェブサイトでビデオを閲覧するリンクを表示することもでき、例えば、ユーザは、「捜狐」下の「第２０回エピソード」をクリックすると、「捜狐」に直接入り、「古剣奇譚」の第２０回のエピソードを見ることができる。
【００３２】
さらに、「小時代３」及び「産科男医生」等のユーザが関心のあるものに関連する他の映画を推奨することもできる。上記推奨がユーザの要求に合わせられていない場合、ユーザは「変更」ボタンをクリックして、推奨される他の関連映画を表示することができる。「変更」ボタンは切り替えボタンの形態である。
【００３３】
Ｓ２０３：ユーザに対応するより多くの更新情報及び拡張情報が、ユーザのトリガ操作に基づいて切り替えて表示される。
【００３４】
当然ながら、ユーザが関心のある情報は、車、株式等の情報を含むこともできる。ユーザが関心のある情報に対応する全ての更新情報及び拡張情報を同じページに表示できるわけではない場合、ユーザは、切り替えボタンを介して別個のページで更新情報及び拡張情報を表示することができる。図４に示されるように、ユーザが関心のある情報は「フォルクスワーゲンゴルフ」及び「百度株式」である。想起情報「注目！あなたが関心のあるフォルクスワーゲンゴルフの価格が下がりました！」及び価格変更情報「３２，０００元の割引があります」をページに表示することができ、「フォルクスワーゲンのオフィシャルウェブサイトから直接購入」及び「購入する前に一番近い４Ｓ店で試乗する」等の購入チャネル候補をユーザに推奨することができる。ユーザは、「フォルクスワーゲンのオフィシャルウェブサイトから直接購入」をクリックする場合、フォルクスワーゲンのオフィシャルウェブサイトに直接入り、購入することができ、「購入する前に一番近い４Ｓ店で試乗する」をクリックする場合、一番近い４Ｓ店のウェブサイトに入り、試乗の予約をすることができる。当然ながら、ライセンス供与、保険の購入等の潜在的なニーズについての情報をユーザに推奨することもできる。
【００３５】
図５に示されるように、ユーザは、切り替えボタン「株が上昇しました」をクリックして、「株式」情報を表示するページに切り替えることができる。想起情報「注目：百度の株が上昇しました！」、「百度株」のトレンドチャート、及び「２１０．１」から「２１５．４」への上昇というシェア価格変更情報をページに表示することができ、「百度の保有株の増大」に関連する情報を同時に推奨することができる。さらに、Ｔｅｎｃｅｎｔ株、アリババ株、ＪＤ株、ＳＩＮＡ株等のインターネットタイプの株をユーザに推奨することもできる。
【００３６】
図６に示されるように、ユーザは、切り替えボタン「マイトレジャーボックス」をクリックして、天気予報に関連する情報のページに切り替えることができる。想起情報「今年初の北京の大雪が週末にやってきます」及びその後数日の天気状況をページに表示することができ、同時に、天気状況に従って、例えば、雪の降る日に故宮博物院又は北京大学の未名湖に行くツアー開催についての情報をユーザに推奨することができる。さらに、他の都市の天気予報をユーザに推奨することもできる。
【００３７】
図７に示されるように、ユーザは、切り替えボタン「小説更新想起」をクリックして、ユーザが関心のある小説のページに切り替えることができる。想起情報「注目：あなたが関心のある「大主宰」が更新されました！」をページに表示することができ、更新時刻が今日の午前１０時であったことが表示される。同時に、更新された章を読むためのアドレスリンクがユーザに推奨され、例えば、Ｑｉｄｉａｎリーディングウェブサイトで読むためのアドレスリンク、及び５２０リーディングウェブサイトで読むためのアドレスリンクが推奨され、ユーザは、上記リンクをクリックすることにより、「大主宰」の更新された章を読むことができる。さらに、ユーザが関心を有し得る「完美世界」及び「斗破蒼穹」等の同じ種類の他の小説をユーザに推奨することもできる。
【００３８】
上記情報が、変更された場合のみ表示され、変更がない場合には表示されないことに留意されたい。
【００３９】
ユーザが関心のある情報が変更されたときに、ユーザに想起情報を送信して、更新情報及び関連情報をチェックすることをユーザに想起させることにより、本発明の実施形態の情報を推奨する方法は、より個人化され、インテリジェント化された様式でユーザの要求に合わせられた情報を推奨し、ユーザの判断をよりよくガイドし、ユーザが、関心のある情報を素早く正確に取得できるようにし、情報取得の効率を改善し、したがって、ユーザの検索エクスペリエンスを改善する。
【００４０】
上記実施形態を実施するために、本発明は、情報を推奨する装置も提案する。
【００４１】
図８は、本発明の一実施形態による情報を推奨する装置の構造概略図である。
【００４２】
図８に示されるように、情報を推奨する装置は、取得モジュール１１０と、送信モジュール１２０と、表示モジュール１３０とを備える。
【００４３】
取得モジュール１１０は、ユーザが関心のある情報を取得するのに使用される。
【００４４】
特に、取得モジュール１１０は、現在のアカウント下のユーザの過去の検索挙動を取得し、次に、過去の検索挙動に従ってユーザが関心のある情報を特定することができる。ユーザの個人的な要求により合わせられた情報をユーザに推奨するために、検索エンジンはそれぞれ、各アカウントに対応する過去の検索挙動をクライアントに記録することができる。例えば、ユーザＡがかつて、テレビドラマ「産科医生」を検索したことがある場合、テレビドラマ「産科医生」を、ユーザＡが関心のある情報としてみなすことができ、ユーザＢがかつて、テレビドラマ「古剣奇譚」を検索したことがある場合、テレビドラマ「古剣奇譚」を、ユーザＢが関心のある情報としてみなすことができる。
【００４５】
取得モジュール１１０は、現在のアカウント下でユーザによって入力されるカスタマイズ情報を受信することもでき、カスタマイズ情報に従ってユーザが関心のある情報を特定することができる。例えば、ユーザＡは、個人センターを通してカスタマイズ情報「小時代」を入力することができ、それにより、ユーザＡの関心のある情報が「小時代」であると特定することができる。
【００４６】
ユーザが関心のある情報は、オーディオ及びビデオ等のリソース情報、株式等の金融及び経済情報、天気予報等の生活サービス情報、及び様々な他のタイプの情報を含むことができる。
【００４７】
送信モジュール１２０は、情報を検索エンジンに送信するのに使用され、それにより、検索エンジンは情報を監視し、情報が変更されたことを検知すると、情報についての更新情報を返す。
【００４８】
ユーザが関心のある情報が、取得モジュール１１０によって取得された後、送信モジュール１２０はその情報を検索エンジンに送信することができる。検索エンジンは、情報を受信した後、情報を監視することができる。情報の変更が検知されると、情報についての更新情報をクライアントに返すことができる。例えば、ユーザＡが関心のある情報が小説「大主宰」である場合、小説「大主宰」の更新が検知されたときに、小説「大主宰」についての更新情報をクライアントに返すことができる。
【００４９】
表示モジュール１３０は、更新情報を受信して表示し、想起情報をユーザに送信して、更新情報をチェックすることをユーザに想起させるのに使用される。
【００５０】
検索エンジンが更新情報をクライアントに返した後、表示モジュール１３０は更新情報を受信して表示し、想起情報をユーザに送信して、更新情報をチェックすることをユーザに想起させることができる。特に、表示モジュール１３０は想起情報を、現在のアカウントに関連付けられたモバイル端末又はアプリケーションプログラムに送信することができ、想起情報はまた、ユーザの現在のアカウントのログインページに表示することもできる。例えば、ユーザＡが関心のある小説「大主宰」が更新されると、想起ショートメッセージ「小説「大主宰」が更新されました！」が、ユーザＡが小説を読む携帯電話又はアプリに送信され、想起情報「小説「大主宰」が更新されました！」は、ユーザＡが検索エンジンページを開き、ログインする際に表示することもできる。ユーザに想起させる方法が上記方法に限定されないことを理解されたい。モバイル端末は、携帯電話に限定されず、インテリジェントウェアラブル装置、タブレットコンピュータ等であることもできる。
【００５１】
さらに、更新情報を受信し表示する際、表示モジュール１３０は、検索エンジンによって返された拡張情報を受信し表示することもできる。拡張情報は、更新情報の検索入力、情報に関連する推奨情報等を含むことができる。例えば、ユーザＢが関心のあるテレビドラマ「古剣奇譚」が第２０回のエピソードに更新される場合、クライアントは、テレビドラマ「古剣奇譚」の第２０回のエピソードのリンクアドレスと、Ｍｉ  Ｙａｎｇがまた主演する関連する推奨情報「小時間３」とを表示することもできる。
【００５２】
さらに、拡張情報を表示する際、表示モジュール１３０は切り替えキーを表示し、次に、切り替えキーでのユーザのトリガ操作を取得し、情報に関連する推奨情報をトリガ操作に基づいて切り替えて表示することもできる。例えば、ユーザＡが関心のある情報は、特定の車、株式等の情報も含み、その場合、価格変更情報及び品質問題情報等の車に関連する推奨情報並びに株式についての市場情報を、切り替えキーでのユーザのトリガ操作を介して表示することができる。
【００５３】
ユーザが関心のある情報を取得し、情報の変更が検索エンジンによって検知されたときに更新情報を取得し、ユーザに想起情報を送信して、更新情報をチェックすることをユーザに想起させることにより、本発明の実施形態の情報を推奨する装置は、ユーザが関心のある情報を素早く正確に取得できるように、情報取得の効率を改善し、ユーザの個人的な要求により合わせられ、判断についてユーザをよりよくガイドし、したがって、ユーザの検索エクスペリエンスを改善する。
【００５４】
本明細書の説明では、「一実施形態」、「幾つかの実施形態」、「例」、「特定の例」、又は「幾つかの例」等の参照用語の説明は、その実施形態又は例と関連して説明される特定の特徴、構造、材料、又は特性が、本発明の少なくとも１つの実施形態又は例に包含されることを意味することを意図される。本明細書では、上記用語の例示的表現は必ずしも、同じ実施形態又は例を指すわけではない。さらに、説明される特定の特徴、構造、材料、又は特性は、任意の１つ又は複数の実施形態又は例で適宜組み合わせ得る。さらに、相互に矛盾しない場合、当業者は、本明細書において説明される様々な実施形態又は例を、異なる実施形態又は例の特徴と組み合わせ得る。
【００５５】
さらに、「第１」及び「第２」という用語は、相対的な重要性を示す若しくは暗示するか、又は示される技術的特徴の数を暗黙的に指定すると理解されるものではなく、単に説明を目的とする。したがって、「第１」及び「第２」によって定義される特徴は、明示的又は暗黙的に少なくとも１つのその特徴を含み得る。本発明の説明では、明確且つ特別に別段のことが指定される場合を除き、「複数の」の意味は少なくとも２つ、例えば、２つ、３つ等である。
【００５６】
フローチャート又は他の様式で本明細書に説明される任意のプロセス又は方法の説明は、特定の論理的な機能又はプロセスステップの実施に使用される実行可能な命令の１つ又は複数のコードを含むモジュール、セグメント、又はセクションを表すものと理解し得、本発明の好ましい実施形態の範囲は、更なる実装形態を含み、複数の機能は、基本的に同期した態様、又は関わる機能に従っての逆順の態様を含め、示されるか、又は考察される順序に従わずに実行し得、このことは、本発明の実施形態が属する分野の当業者によって理解されるはずである。
【００５７】
例えば、フローチャートで表されるか、又は他の様式で本明細書に記載される論理及び／又はステップは、論理機能の実施に使用される実行可能な命令の順次リストとしてみなすことができ、特に、命令実行システム、装置、若しくはデバイス（命令実行システム、装置、若しくはデバイスから命令を抽出して実行し得る、プロセッサその他のシステムを備えるコンピュータベースのシステム等）が使用するか、又は命令実行システム、装置、若しくはデバイスと組み合わせて使用される任意のコンピュータ可読媒体の形式で実施し得る。この説明では、「コンピュータ可読媒体」は、命令実行システム、装置、若しくはデバイスが使用するか、又は命令実行システム、装置、若しくはデバイスと組み合わせて使用されるプログラムの包含、記憶、通信、伝搬、又は伝送を行い得る任意の装置であり得る。コンピュータ可読媒体のより具体的な例（非網羅的リスト）としては、以下が挙げられる：１つ又は複数の配線を有する電気接続部（電子装置）、ポータブルコンピュータディスクボックス（磁気装置）、ランダムアクセスメモリ（ＲＡＭ）、読み取り専用メモリ（ＲＯＭ）、消去可能プログラマブル読み取り専用メモリ（ＥＰＲＯＭ又はフラッシュメモリ）、光ファイバ装置、及びポータブルＣＤ読み取り専用メモリ（ＣＤ−ＲＯＭ）。さらに、コンピュータ可読媒体は、プログラムをプリントすることができる紙又は他の適切な媒体でさえあってもよく、その理由は、例えば、紙又は他の媒体が光学スキャンを受け得、次に、必要な場合には編集手段、解釈手段、又は他の適切な手段によって処理され、プログラムを電子的に取得し、次に、それをコンピュータメモリに記憶するためである。
【００５８】
本発明の様々な部分をハードウェア、ソフトウェア、ファームウェア、又はそれらの組み合わせによって実施し得ることを理解されたい。上記実施形態では、複数のステップ又は方法は、メモリに記憶され、適切な命令実行システムによって実行されるソフトウェア又はファームウェアによって実施し得る。例えば、別の実施形態でのように、ハードウェアによって実施される場合、当分野で一般に知られている以下の技法のいずれか１つ又は組み合わせによって実施することができる：データ信号の論理機能の実施に使用される論理ゲート回路を有する離散論理回路、適切な組み合わせの論理ゲート回路を有する特定用途向け集積回路、プログラマブルゲートアレイ（ＰＧＡ）、フィールドプログラマブルゲートアレイ（ＦＰＧＡ）等。
【００５９】
上記実施形態の方法で実行されるステップの全て又は部分の実施を、プログラムを用いて関連するハードウェアに命令することによって達成し得ることを当業者は理解するものとする。プログラムは、コンピュータ可読記憶媒体に記憶し得、実行される場合、プログラムは、方法実施形態でのステップの１つ又はそれらの組み合わせを含む。
【００６０】
さらに、本発明の様々な実施形態の様々な機能ユニットは、１つの処理モジュールに統合してもよく、各ユニットは物理的に単独で存在してもよく、又は２つ又は３つ以上のユニットを１つのモジュールに統合してもよい。上記統合モジュールは、ハードウェアの形態で実施し得、機能ソフトウェアモジュールの形態で実施することもできる。機能ソフトウェアモジュールの形態で実施され、独立した製品として販売又は使用される場合、統合モジュールはコンピュータ可読記憶媒体に記憶することもできる。
【００６１】
上記記憶媒体は読み取り専用メモリ、磁気ディスク、又は光ディスク等であり得る。本発明の実施形態を上に示し説明したが、上記実施形態が例示であり、本発明への限定として理解されるべきではないことを理解されたい。当業者は、本発明の範囲内で上記実施形態に変更、改変、置換、及び変形を行い得る。
【符号の説明】
【００６２】
１１０  取得モジュール
１２０  送信モジュール
１３０  表示モジュール
【図１】
0006581357.tif 000002
【図２】
0006581357.tif 000003
【図３】
0006581357.tif 000004
【図４】
0006581357.tif 000005
【図５】
0006581357.tif 000006
【図６】
0006581357.tif 000007
【図７】
0006581357.tif 000008
【図８】
0006581357.tif 000009